(57)【特許請求の範囲】
【請求項１】
光ディスクを載置するターンテーブル、
前記ターンテーブルを駆動するスピンドルモータ、
前記スピンドルモータが固定されたトラバースシャーシ、
前記光ディスクに対して半径方向に移動して、前記光ディスクに書き込まれた情報の読み込み又は前記光ディスクに情報の書き込みを行う光ピックアップ、
前記光ピックアップの移動方向を案内する平行な主軸と副軸が設けられ、前記トラバースシャーシに対してチルト調整可能に配設されたチルトシャーシ、
前記トラバースシャーシに対して前記チルトシャーシをチルト調整するためのチルト調整手段、及び、
前記チルトシャーシに設けられた前記光ピックアップ、前記主軸、及び前記副軸を覆うように前記チルトシャーシに配設されたチルトカバーを具備する光ディスク装置。
【請求項２】
前記チルトシャーシが前記トラバースシャーシに対して１つの調整支持部で支持され、前記チルト調整手段は複数のチルト調整部により構成され、
前記複数のチルト調整部は前記調整支持部からの方向が互いに異なる位置にそれぞれ配置されたことを特徴とする請求項１に記載の光ディスク装置。
【請求項３】
前記トラバースシャーシに設けられ、駆動力を発生する第１のトラバース駆動手段と、
前記チルトシャーシに設けられ、前記光ピックアップを移動させるため前記第１のトラバース駆動手段からの駆動力を前記主軸に伝達する第２のトラバース駆動手段とを備え、
前記第１のトラバース駆動手段から第２のトラバース駆動手段へ駆動力を伝達する連結部が、前記チルトシャーシと前記トラバースシャーシとの調整支持部近傍に設けられた請求項２に記載の光ディスク装置。
【請求項４】
前記チルト調整手段が弾性部材を有し、前記チルトシャーシと前記トラバースシャーシとの間の振動を吸収するよう構成された請求項１又は２に記載の光ディスク装置。
【請求項５】
前記副軸が前記チルトシャーシと一体的に成形された請求項１又は２に記載の光ディスク装置。
【請求項６】
前記調整支持部が前記主軸の光ディスク内周側端部近傍に配設され、一方のチルト調整部が前記主軸の光ディスク外周側端部近傍に配設され、他方のチルト調整部が前記副軸側に配設された請求項２に記載の光ディスク装置。
【請求項７】
前記主軸、前記副軸、及び前記光ピックアップが前記チルトシャーシに予め装着できるよう構成された請求項１又は２に記載の光ディスク装置。
【請求項８】
前記光ピックアップが光ディスクへ光を照射するレンズ突出部と、前記レンズ突出部を光ディスクの半径方向へ移動可能に支持する本体部とにより構成されており、前記本体部が前記チルトシャーシの主面より光ディスク側に配置された請求項１に記載の光ディスク装置。
【請求項９】
前記光ピックアップ、前記主軸、及び前記副軸が前記チルトシャーシと前記チルトカバーで形成される内部空間に配設され、前記チルト調整手段により前記チルトシャーシと前記チルトカバーが一体的に前記トラバースシャーシに対してチルト調整可能であるよう構成された請求項１又は８に記載の光ディスク装置。
【請求項１０】
光ディスクを載置するターンテーブル、
前記ターンテーブルを駆動するスピンドルモータ、
前記スピンドルモータが固定されたトラバースシャーシ、
前記光ディスクに対して半径方向に移動して、前記光ディスクに書き込まれた情報の読み込み又は前記光ディスクに情報の書き込みを行う光ピックアップ、
前記光ピックアップの移動方向を案内する平行な主軸と副軸が設けられ、前記トラバースシャーシに対してチルト調整可能に配設されたチルトシャーシ、及び
前記トラバースシャーシに対して前記チルトシャーシをチルト調整するためのチルト調整手段、
を具備し、
前記チルト調整手段のチルト調整状態を維持したまま、
前記チルトシャーシは前記トラバースシャーシから着脱できるよう構成された光ディスク装置。
【請求項１１】
前記チルト調整手段は、ネジを備え、
前記チルトシャーシは、前記トラバースシャーシから着脱するための孔を有し、
前記孔は、大円形部分と小円形部分とを有する形状であり、
前記孔の大円形部分の直径は、前記ネジの頭部の直径より大きく、
前記孔の小円形部分の直径は、前記ネジの頭部の直径より小さく、前記ネジの直径より大きいことを特徴とする請求項１０に記載の光ディスク装置。
【発明の詳細な説明】
【０００１】
【発明の属する技術分野】
本発明は、情報が記録されている光ディスクの再生及び光ディスクへの情報の記録を行う光ディスク装置に関し、特にターンテーブルに載置された光ディスクの光ピックアップの移動面に対する傾きを調整する光ディスク装置のチルト調整機構に関する。
【０００２】
【従来の技術】
従来の光ディスク装置において、光ディスク上に記録された情報を光ピックアップにより再生したり、又は光ピックアップにより光ディスク上に情報を記録するとき、光ピックアップからのレーザ光の光軸は光ディスクの記録面に対して垂直となるよう設定されている。もし、レーザ光の光軸が光ディスクの記録面に対して傾いていると、光ディスクに対する記録又は再生が正確に行えないという問題がある。従来から、光ディスク装置には光軸の傾きを調整するための各種のチルト調整機構が設けられている。特に、近年の光ディスク装置における高速化及び大容量化により高密度の光ディスクが用いられてきており、記録再生の精度が厳しくなってきている。このため、光ピックアップの光軸と光ディスクとの相対角度を調整するチルト調整機構は重要な機構となってきている。さらに、光ディスク装置においては、薄型化の要望が高く、光ピックアップも薄型化に対応した小型のヘッドが用いられてきており、チルト調整機構もさらなる薄型化に対応できることが望まれている。
【０００３】
このような光ディスク装置における高速化及び大容量化、そして薄型化の要望に応えて、各種のチルト調整装置が開発されている。従来のチルト調整機構としては、例えば、特開平９−３２０２１４号公報や特開平１０−２０８３７２号公報に開示された装置がある。
【０００４】
図１３は特開平９−３２０２１４号公報に開示された光ディスク装置におけるチルト調整機構を示す平面図である。図１３において、光ディスク１０１に対してレーザ光を発光する光ピックアップ１０２が、予め互いに平行となるよう調整された第１のガイド軸１０３と第２のガイド軸１０４との間に架設されている。第１のガイド軸１０３の両端には第１の調整部材１０５Ａと第２の調整部材１０５Ｂが設けられており、第２のガイド軸１０４の両端には第３の調整部材１０５Ｃと支持部材１０６が設けられている。第１から第３の調整部材１０５Ａ，１０５Ｂ，１０５Ｃは、シャーシに対して回動可能な回転部材１０８Ａ，１０８Ｂ，１０８Ｃと、これらの回転部材１０８Ａ，１０８Ｂ，１０８Ｃの上面に突設され、第１のガイド軸１０３又は第２のガイド軸１０４の軸受けとなるカム１０９Ａ，１０９Ｂ，１０９Ｃを有している。これらのカム１０９Ａ，１０９Ｂ，１０９Ｃは、回転部材１０８Ａ，１０８Ｂ，１０８Ｃの回動角に応じて漸次高さが変化するよう構成されている。したがって、各回転部材１０８Ａ，１０８Ｂ，１０８Ｃを回動させることによりカム１０９Ａ，１０９Ｂ，１０９Ｃが回動して第１のガイド軸１０３と第２のガイド軸１０４のそれぞれの該当する端部が上下に移動するよう構成されている。
【０００５】
なお、各回転部材１０８Ａ，１０８Ｂ，１０８Ｃの近傍で第１のガイド軸１０３と第２のガイド軸１０４の端部近傍は、シャーシに固定されたＵ字状金具１０７Ａ，１０７Ｂ，１０７Ｃにより上方への移動のみが可能なように支持されている。また、第１のガイド軸１０３と第２のガイド軸１０４の端部近傍は、押さえバネ１１０Ａ，１１０Ｂ，１１０Ｃによって弾性的に下方へ押圧されている。また、支持部材１０６は第２のガイド軸１０４の一端を回動可能に支持している。
【０００６】
上記のように構成された特開平９−３２０２１４号公報の従来の光ディスク装置において、調整部材である回転部材１０８Ａ，１０８Ｂ，１０８Ｃとカム１０９Ａ，１０９Ｂ，１０９Ｃは、それぞれにおける部材が全く同一形状に形成されている。これにより、各回転部材１０８Ａ，１０８Ｂ，１０８Ｃを同じ角度回動させることにより、第１のガイド軸１０３と第２のガイド軸１０４の該当する各支持点は同じ高さだけ移動するよう構成されている。したがって、各調整部材１０５Ａ，１０５Ｂ，１０５Ｃにおける各構成部品は精度高く形成する必要があり、第１のガイド軸１０３の中心軸と第２のガイド軸１０４の中心軸を含む面の歪みや傾きは、３つの調整部材１０５Ａ，１０５Ｂ，１０５Ｃを用いて調整される。
すなわち、この従来の光ディスク装置のチルト調整においては、第１のガイド軸１０３の中心軸と第２のガイド軸１０４の中心軸の平行を常に維持しつつ光ピックアップ１０２の移動面を調整する必要がある。したがって、第１のガイド軸１０３の中心軸と第２のガイド軸１０４の中心軸の平行を予め調整しておき、調整部材１０５Ａと１０５Ｂを同期させて同じ量だけ移動させて、調整部材１０５Ｂと１０５Ｃを同期させて同じ量だけ移動させている。これらの調整動作を繰り返して光ピックアップ１０２が最適な移動軌跡を描くように配置される。したがって、この従来の光ディスク装置においては、光ディスク１０１の記録面と光ピックアップ１０２の移動面が平行になるように複数箇所の同期調整工程が複数回必要である。これは、複数箇所の内の２箇所を同期させ回転調整しなければならず、手動では困難であり、そのための専用の治具あるいは調整装置が必要であった。
【０００７】
図１４は特開平１０−２０８３７２号公報に開示された従来の光ディスク装置のスピンドルモータ取付部近傍を示す側面断面図である。図１４において、ターンテーブル１１１を回転軸に固定しているスピンドルモータ１１２は、支持板１１３の上面に取り付けられている。第１の固定ネジ１１５は、装置全体を支持している固定基板１１４と支持板１１３との間に配設された第１のバネ１１５Ａを貫通して支持板１１３のネジ部に螺合している。これにより、支持板１１３は第１のバネ１１５Ａにより固定基板１１４から離れる方向に付勢されている。また、第２の固定ネジ１１６は、第１の固定ネジ１１５と同様に、固定基板１１４と支持板１１３との間に配設された第２のバネ１１６Ａを貫通して支持板１１３のネジ部に螺合している。これにより、支持板１１３は第２のバネ１１６Ａにより固定基板１１４から離れる方向に付勢されている。第１の固定ネジ１１５と第２の固定ネジ１１６は、ターンテーブル１１１上に載置された光ディスクの中心軸から同じ距離の位置に設けられている。
【０００８】
支持板１１３の下面には下方に突出した半球面状の凸部１１７が形成されている。この凸部１１７の半球面は、ディスク載置面１１１ａとスピンドルモータ１１２の回転軸の中心が直交する点１１１ｂを中心とした円弧上に形成されている。固定基板１１４の上面には上方に突出した３つの小さな半球面状の突部１１８が形成されている。これらの突部１１８は、半球面状の凸部１１７を３点で支持するよう配置されている。
【０００９】
次に、上記のように構成された特開平１０−２０８３７２号公報の装置におけるチルト調整作業について説明する。
まず、支持板１１３に螺合した第１の固定ネジ１１５を回転すると、支持板１１３が半球面状の凸部１１７の形状に沿って回動し変位する。これにより、スピンドルモータ１１２及びターンテーブル１１１は、光ディスクのトラックの半径方向（ラジアル方向）に傾けることが可能となる。
次に、支持板１１３に螺合した第２の固定ネジ１１６を回転すると、支持板１１３が半球面状の凸部１１７の形状に沿って回動し変位する。これにより、スピンドルモータ１１２及びターンテーブル１１１は、光ディスクのトラックの接線方向（タンジェンシャル方向）に傾けることが可能となる。
上記のように第１の固定ネジ１１５と第２の固定ネジ１１６を回転することにより、ディスク載置面１１１ａを光ピックアップヘッドの光軸と直交するようにチルト調整することができる。
【００１０】
【発明が解決しようとする課題】
上記のように構成された従来の光ディスク装置において、特開平９−３２０２１４号公報の光ディスク装置は、調整部材における各構成品を精度高く形成する必要があり、かつ製造工程におけるチルト調整において特殊な機器を用いる必要があり、結果的に製造コストが高額になるという問題があった。また、この従来の光ディスク装置においては、３箇所に配置された調整部材を用いて光ピックアップの移動面を調整するよう構成されているため、複数回の調整工程が必要であり、煩雑な調整作業を行う必要があった。また、光ディスクの回転により発生する気流が光ピックアップが配設されている空間に流れ、細かな塵埃が光学部品に付着して、長時間の使用により光量が低下し性能劣化したり、最悪の場合には再生不能に陥る場合があった。
【００１１】
また、特開平１０−２０８３７２号公報の光ディスク装置は、チルト調整動作において、光ピックアップヘッドの移動面に対してスピンドルモータ及びターンテーブルを直接的に回動させる構成であるため、ターンテーブルに載置される光ディスクの上下に調整のための空間を確保する必要があり、装置の薄型化の妨げになっていた。さらに、特開平１０−２０８３７２号公報の光ディスク装置においては、光ディスクを回転させるスピンドルモータがチルト調整部材であるバネ１１５Ａ，１１６Ａにより支持される構成であるため、アンバランスな光ディスクが載置されて回転した場合、スピンドルモータ部分が共振して振れ回りなど機器に悪影響を与える振動を生じるおそれがあった。
本発明は、上記の問題を解決するものであり、光ピックアップの移動面を光ディスクの記録面に対して平行になるよう調整するチルト調整作業を容易なものとするとともに、信頼性が高く、高速化、大容量化、及び薄型化に対応できる光ディスク装置を提供することを目的とする。
【００１２】
【課題を解決するための手段】
本発明に係る光ディスク装置は、光ディスクを載置するターンテーブルと、ターンテーブルを駆動するスピンドルモータと、スピンドルモータが固定されたトラバースシャーシと、光ディスクに対して半径方向に移動して、光ディスクに書き込まれた情報の読み込み又は光ディスクに情報の書き込みを行う光ピックアップと、光ピックアップの移動方向を案内する平行な主軸と副軸が設けられ、トラバースシャーシに対してチルト調整可能に配設されたチルトシャーシと、トラバースシャーシに対してチルトシャーシをチルト調整するためのチルト調整手段と、チルトシャーシに設けられた光ピックアップ、主軸、及び副軸を覆うようにチルトシャーシに配設されたチルトカバーを具備する。このように構成された光ディスク装置は、光ディスクの回転に伴う気流により塵埃が光ピックアップへの付着を大幅に低減することが可能である。
【００１３】
また、本発明に係る光ディスク装置は、チルトシャーシがトラバースシャーシに対して１つの調整支持部で支持され、チルト調整手段は複数のチルト調整部により構成され、これらの複数のチルト調整部は調整支持部からの方向が互いに異なる位置にそれぞれ配置されている。このように構成された光ディスク装置は、光ピックアップの移動面を光ディスクの記録面に対して平行になるよう容易に調整することが可能である。
【００１４】
また、本発明に係る光ディスク装置は、トラバースシャーシに設けられ、駆動力を発生する第１のトラバース駆動手段と、チルトシャーシに設けられ、光ピックアップを移動させるための第１のトラバース駆動手段からの駆動力を主軸に伝達する第２のトラバース駆動手段とを備え、第１のトラバース駆動手段から第２のトラバース駆動手段へ駆動力を伝達する連結部が、チルトシャーシとトラバースシャーシとの調整支持部近傍に設けられている。このように構成された光ディスク装置においては、チルト調整後においても第１のトラバース駆動手段と第２のトラバース駆動手段との連結部が確実に駆動力が伝達可能な状態に保持される。
【００１５】
また、本発明に係る光ディスク装置は、チルト調整手段が弾性部材を有し、チルトシャーシとトラバースシャーシとの間の振動を吸収するよう構成されている。このように構成された光ディスク装置は、スピンドルモータ等からの振動が吸収され、書き込み及び読み取り動作を確実に行うことが可能である。
【００１６】
また、本発明に係る光ディスク装置は、副軸がチルトシャーシと一体的に成形されている。このように構成された光ディスク装置は、光ピックアップの移動面を光ディスクの記録面に対して平行になるよう容易に調整することが可能である。
【００１７】
また、本発明に係る光ディスク装置は、調整支持部が主軸の光ディスク内周側端部近傍に配設され、一方のチルト調整部が主軸の光ディスク外周側端部近傍に配設され、他方のチルト調整部が副軸側に配設されている。このように構成された光ディスク装置は、光ピックアップの移動面を光ディスクの記録面に対して平行になるよう容易に調整することが可能である。
【００１８】
また、本発明に係る光ディスク装置は、主軸、副軸、及び光ピックアップがチルトシャーシに予め装着できるよう構成されている。このように構成された光ディスク装置は、光ピックアップの移動面を光ディスクの記録面に対して平行になるよう容易に調整することができるとともに、製造工程における組立が容易となる。
【００１９】
また、本発明に係る光ディスク装置は、光ピックアップが光ディスクへ光を照射するレンズ突出部と、レンズ突出部を光ディスクの半径方向へ移動可能に支持する本体部とにより構成されており、チルトシャーシの主面が本体部より光ディスク側に配置されている。このように構成された光ディスク装置においては、光ピックアップの移動面を光ディスクの記録面に対して平行になるよう容易に調整することが可能であるとともに、装置の薄型化に対応することが可能となる。
【００２０】
また、本発明に係る光ディスク装置は、光ピックアップ、主軸、及び副軸がチルトシャーシとチルトカバーで形成される内部空間に配設され、チルト調整手段によりチルトシャーシとチルトカバーが一体的にトラバースシャーシに対してチルト調整可能である。このように構成された光ディスク装置は、光ディスクの回転に伴う気流により塵埃が光ピックアップへの付着を大幅に低減することが可能であるとともに、光ピックアップの交換を容易なものとした。
【００２１】
また、本発明に係る光ディスク装置は、チルト調整手段のチルト調整状態を維持したまま、チルトシャーシがトラバースシャーシから着脱できるよう構成されている。このように構成された光ディスク装置においては、トラバースシャーシ上に構成されたチルト調整手段の調整をそのままの状態で、チルトシャーシをチルト調整手段から外してトラバースシャーシより離し、あるいはその逆にチルトシャーシをチルト調整手段に装着してトラバースシャーシに取り付けることを容易に行うことができるものである。これにより、光ピックアップのメインテナンスや交換などでチルトシャーシをトラバースシャーシから着脱する際でも、チルト調整の状態は変わらず、その度にチルト調整をやり直す必要がない。
【００２２】
また、本発明に係る光ディスク装置は、チルト調整手段が、ネジを備え、チルトシャーシは、トラバースシャーシから着脱するための孔を有し、孔は、大円形部分と小円形部分とを有する形状であり、孔の大円形部分の直径は、ネジの頭部の直径より大きく、孔の小円形部分の直径は、ネジの頭部の直径より小さく、ネジの直径より大きい。このように構成された光ディスク装置においては、トラバースシャーシ上に構成されたチルト調整手段の調整をそのままの状態で、チルトシャーシをチルト調整手段から外してトラバースシャーシより離し、あるいはその逆にチルトシャーシをチルト調整手段に装着してトラバースシャーシに取り付けることを容易に行うことができるものである。これにより、光ピックアップのメインテナンスや交換などでチルトシャーシをトラバースシャーシから着脱する際でも、チルト調整の状態は変わらず、その度にチルト調整をやり直す必要がない。
【００２４】
【発明の実施の形態】
以下、本発明に係る光ディスク装置の好適な実施の形態について添付の図面を参照しつつ説明する。
【００２５】
《実施の形態１》
図１は本発明に係る実施の形態１の光ディスク装置におけるスピンドルモータ近傍の構成部品を上方（ターンテーブルに載置された光ディスク側）から見た斜視図である。図２は実施の形態１の光ディスク装置におけるスピンドルモータ近傍の構成部品を下方から見た斜視図である。図３は実施の形態１のスピンドルモータ近傍の主要な構成部品の上面を見た平面図であり、図４は図３のスピンドルモータ近傍の主要な構成部品の下面を見た裏面図である。
【００２６】
図１において、光ディスク１０１を載置するターンテーブル１はスピンドルモータ２の回転軸に直結されており、スピンドルモータ２はトラバースシャーシ４に固定されている。このトラバースシャーシ４の裏面にはトラバースモータ５とその駆動力を伝達する第１のトラバース駆動機構１０が設けられている。
トラバースシャーシ４とチルトシャーシ３は、後述する調整支持部１３において接動可能に係合しており、２箇所のチルト調整部３０，３１において固定されている。チルトシャーシ３はチルト調整手段である２つのチルト調整部３０，３１によりトラバースシャーシ４に対してチルト調整できるよう構成されている。チルト調整部３０，３１は２組の調整ネジ１１，１２とバネ１４，１５により構成されており、調整ネジ１１，１２がトラバースシャーシ４に形成された孔５１，５２とバネ１４，１５を貫通してチルトシャーシ３に螺合している。
【００２７】
ターンテーブル１に載置された光ディスク１０１の半径方向（ラジアル方向）に移動する光ピックアップ５０は、光ピックアップ本体８とこの光ピックアップ本体８の上面（光ディスク側）に設けられたレンズ突出部９とを有している。チルトシャーシ３の主面は、光ピックアップ本体８の上面と光ディスクの下面との間に配置されている。
チルトシャーシ３には、光ピックアップ本体８を光ディスク１０１のラジアル方向への駆動ガイドである主軸６とガイド軸である副軸７が設けられている。主軸６にはネジが形成されており、主軸６の回転により、この主軸６と係合する光ピックアップ本体は直線移動するよう構成されている。副軸７はチルトシャーシ３と一体成形により形成されている。また、チルトシャーシ３にはトラバースシャーシ４に設けられた第１のトラバース駆動機構１０と歯合する第２のトラバース駆動機構１６が設けられており、トラバースモータ５の駆動力はトラバースシャーシ４の裏面に設けられた第１のトラバース駆動機構１０とチルトシャーシ３に設けられた第２のトラバース駆動機構１６を介して主軸６に伝達されるよう構成されている。第１のトラバース駆動機構１０と第２のトラバース駆動機構１６との連結は、チルトシャーシ３とトラバースシャーシ４が接動可能に係合して、チルトシャーシ３をトラバースシャーシ４に支持する調整支持部１３の近傍に配置されている。
【００２８】
図１及び図２に示すように、チルトシャーシ３には２つの開口部３ａ，３ｂが形成されている。第１の開口部３ａはスピンドルモータ２を挿入配置するための開口であり、その上部にターンテーブル１が配置される。第２の開口部３ｂは、光ピックアップ５０のレンズ突出部９がターンテーブル１に載置された光ディスク１０１の記録面を臨むことができるように、レンズ突出部９の移動軌跡に沿って形成されている。
【００２９】
図３は実施の形態１におけるトラバースシャーシ４にスピンドルモータ２とチルトシャーシ３が組み込まれた状態を示す平面図であり、図４は図３のトラバースシャーシ４の裏面図である。
図３及び図４に示すように、実施の形態１におけるチルト調整手段の第１の調整ネジ１１と第２の調整ネジ１２は、チルトシャーシ３の縁部近傍に設けられており、光ピックアップ５０のレンズ突出部９の移動軌跡を含む直線Ａの両側となるよう配置されている。また、調整支持部１３はチルトシャーシ３のターンテーブル１の中心軸に近い縁部近傍に形成されている。この調整支持部１３と第１の調整ネジ１１は、チルトシャーシ３の裏面に設けられた主軸６の両端近傍に設けられており、調整支持部１３は主軸６の光ディスク内周側端部近傍であり、第１の調整ネジ１１は主軸６の光ディスク外周側端部近傍である。したがって、調整支持部１３と第１の調整ネジ１１は、レンズ突出部９の移動軌跡を含む直線Ａを境として同じ側に配置されている。また、図３及び図４に示すように、第２の調整ネジ１２は、チルトシャーシ３の裏面に設けられた副軸７の略中間部分に配置されている。
【００３０】
図４に示すように、トラバースシャーシ４の裏面には、光ピックアップ５０を光ディスク１０１のラジアル方向に移動させる駆動力を生じるトラバースモータ５及び複数の歯車で構成された第１のトラバース駆動機構１０が設けられている。チルトシャーシ３に設けられた第２のトラバース駆動機構１６における最初の歯車（駆動力の伝達方向における最初の歯車）には、調整支持部１３の近傍において第１のトラバース駆動機構１０における最終歯車（駆動力の伝達方向における最終の歯車）が歯合しており、駆動力を伝達できるよう構成されている。実施の形態１においては、第１のトラバース駆動機構１０と第２のトラバース駆動機構１６の歯合部分は、調整支持部１３の近傍に設けられているため、チルト調整動作における噛み合いピッチや角度のずれは非常に小さく、伝達に必要な歯合関係が確保されている。
図５は調整支持部１３の近傍を示した断面図である。図５に示すように、調整支持部１３において、トラバースシャーシ４に支持部穴４ｈが形成されており、この支持部穴４ｈの開口端部４ｃは端面処理されておりＣカットされている。支持部穴４ｈと開口端部４ｃは同心上に形成されている。一方、チルトシャーシ３においては、開口端部４ｃと対応する位置の両面に略半球状のボール部３ｃが突出するよう形成されており、両側のボール部３ｃにより開口端部４ｃの直径より大きな球状が構成されている。トラバースシャーシ４と対向するチルトシャーシ３のボール部３ｃが、トラバースシャーシ４の開口端部４ｃに接している。図５に示すように、押圧部材４ｐはトラバースシャーシ４に固定されており、チルトシャーシ３のボール部３ｃを開口端部４ｃとにより挟着している。したがって、トラバースシャーシ４と対向するチルトシャーシ３のボール部３ｃは、トラバースシャーシ４の開口端部４ｃに押圧されている。これにより、ボール部３ｃは開口端部４ｃと略環状の線上で接し、押圧部材４ｐとは実質的に一点で接しており、チルトシャーシ３はボール部３ｃの略中心を回転中心として回動可能に構成されている。
上記のように構成された調整支持部１３において、チルトシャーシ３のボール部３ｃの中心は、開口端部４ｃの中心線上に常に配置されており、かつチルトシャーシ３が傾いてもボール部３ｃの中心が高さ方向に関して動くことがない。したがって、チルトシャーシ３は調整支持部１３において接動し、その調整支持部１３により支持の中心が変わることなく傾けることが可能となる。
【００３１】
次に、チルト調整手段における第１の調整ビス１１と第２の調整ビス１２の具体的な構成について説明する。図６は図３のＶ−Ｖ線による断面図であり、第１の調整ビス１１の構成を示す。図７は図４のＶＩ−ＶＩ線による断面図であり、第２の調整ビス１２の構成を示す。
図６に示すように、第１の調整ネジ１１はトラバースシャーシ４の孔５１を貫通してチルトシャーシ３に形成されたネジ孔７ａに螺合している。この第１の調整ネジ１１は、トラバースシャーシ４とチルトシャーシ３との間に配設されたバネ１４を貫通している。このバネ１４により、チルトシャーシ３はトラバースシャーシ４から離れる方向に押圧されている。したがって、第１の調整ネジ１１を回転することにより、チルトシャーシ３をトラバースシャーシ４に対して調整支持部１３の係合点を回動中心として所望の角度に調整することが可能となる。
【００３２】
図７に示すように、第２の調整ネジ１２は、第１の調整ネジ１１と同様に、トラバースシャーシ４の孔５２を貫通してチルトシャーシ３に形成されたネジ孔７ｂに螺合している。また第２の調整ネジ１２は、チルトシャーシ３とトラバースシャーシ４との間に配設されたバネ１５を貫通している。このバネ１５により、チルトシャーシ３はトラバースシャーシ４から離れる方向に押圧されている。したがって、第２の調整ネジ１２を回動させることにより、チルトシャーシ３をトラバースシャーシ４に対して調整支持部１３の係合点を回動中心として所望の角度に回動距離を調整することが可能となる。
上記のようにチルト調整作業が完了した第１の調整ネジ１１と第２の調整ネジ１２は、ロックペイントなどの固着手段によりその回動が禁止される。
【００３３】
次に、実施の形態１の光ディスク装置におけるチルト調整作業について説明する。
実施の形態１において、光ピックアップ５０を光ディスク１０１のラジアル方向へガイドする副軸７は、チルトシャーシ３と一体的に形成されており、所望の位置に予め配設されている。また、光ピックアップ５０を駆動する主軸６は、チルトシャーシ３において副軸７の中心軸と平行になるよう、チルトシャーシ３上に高精度に構成された軸受けにより、その両端が回転可能に軸支されている。したがって、チルトシャーシ３においては、主軸６の中心軸と副軸７の中心軸は所望の平行度が確実に確保されている。これにより、主軸６と副軸７により駆動及び案内される光ピックアップ５０は、ターンテーブル１に装着された光ディスクのラジアル方向の直線上を確実に移動するよう構成されている。
【００３４】
上記のように主軸６、副軸７、光ピックアップ５０、及び第２のトラバース駆動機構１６が予め配設されたチルトシャーシ３は、スピンドルモータ２や第１のトラバース駆動機構１０等が設けられたトラバースシャーシ４に装着される。トラバースシャーシ４に装着されたチルトシャーシ３は、光ピックアップ５０からの出力信号を見ながら第１の調整ネジ１１と第２の調整ネジ１２とを交互に回動させてチルト調整される。この場合、主軸６と副軸７との平行度は確保されているため、２つの調整部材を同期させて行う必要がなく、単純に第１の調整ネジ１１と第２の調整ネジ１２とを交互に回動させて、タンジェンシャル方向とラジアル方向におけるチルトシャーシ３のチルト調整が行われる。従って、実施の形態１におけるチルト調整作業は、従来の技術の欄で説明したような２箇所の同期回転による調整が不要であり、簡易な調整治具あるいは手動による調整で対応することができる。
このチルト調整作業により、光ピックアップ５０のレンズ突出部９からのレーザ光は、ターンテーブル１に装着された光ディスク１０１の記録面に対して垂直に照射される。
【００３５】
実施の形態１の光ディスク装置においては、チルトシャーシ３に主軸６、副軸７、及び光ピックアップ５０等が所望の位置に配設されており、主軸６と副軸７は予め同一平面上に平行に配置されているため、上記のチルト調整作業が容易である。また、実施の形態１の光ディスク装置は、上記のようにトラバースシャーシ４と別体のチルトシャーシ３に主軸６、副軸７、及び光ピックアップ５０等が所望の位置に予め配設されている。そのため、チルト調整作業においてチルトシャーシ３と装着される光ディスク１０１との間に予め調整のための余分な空間を装置内に確保する必要がない。従って、実施の形態１の光ディスク装置は、ディスク下面と光ピックアップ５０の本体との間の限られた空間でも光ピックアップ５０を支持するチルトシャーシ３の主面を確保することができるので、装置の薄型化に大きく貢献している。
【００３６】
なお、実施の形態１においては、第２の調整ネジ１２を副軸７の略中間部分に配置してた例で説明したが、チルト調整作業をさらに容易にするために、レンズ突出部９の移動軌跡を含む直線Ａに直交しターンテーブル１の中心を通る直線（図３において符号Ｂで示す直線）上に第２の調整ネジ１２を配置することも可能である。この場合、調整支持部１３の位置を直線Ｂ上に配設することにより、さらに調整作業が容易となる。ただし、この場合、チルトシャーシを所望の位置に維持するために、その縁部近傍で弾性体等により構成された遊動可能な支持手段を設けることが好ましい。
また、実施の形態１において、チルトシャーシ３はトラバースシャーシ４に対してバネ１４，１５により保持される構成であるが、これらのバネ１４，１５の他に振動を吸収するための弾性体等で構成された振動吸収手段によりチルトシャーシ３をトラバースシャーシ４で保持する構成も可能である。
【００３７】
上記のように構成された実施の形態１の光ディスク装置は、光学部品や駆動機構を実質的に覆うチルトシャーシが設けられているため、このチルトシャーシが使用者に対する目隠しとしての機能も有しており、且つ光ディスクの回転に伴う気流により細かな塵埃が光学部品や他の機器へ流れ込むことが防止されている。この結果、塵埃が光学部品に付着して汚して、長時間の経過により光量低下による性能劣化、再生不能等の問題が解決されている。
また、実施の形態１の光ディスク装置は、上記のように構成されたチルトシャーシとトラバースシャーシを設けることにより、光学部品の汚れを防止すると共に薄型化を達成することができ、優れた効果を有している。
【００３８】
《実施の形態２》
図８は本発明に係る実施の形態２の光ディスク装置におけるスピンドルモータ近傍の構成部品を上方（ターンテーブルに載置された光ディスク側）から見た斜視図である。図９は実施の形態２の光ディスク装置におけるスピンドルモータ近傍の構成部品を下方から見た斜視図である。図１０は実施の形態２における光ピックアップ近傍の構成部品を上方から見た斜視図であり、図１１は図１０の光ピックアップ近傍の構成部品を下方から見た斜視図である。実施の形態２の各図において前述の実施の形態１の光ディスク装置における構成部品と同じ機能、構成を有するものには同じ符号を付してその説明は省略する。
【００３９】
図８において、光ディスク１０１を載置するターンテーブル１はスピンドルモータ２の回転軸に直結されており、スピンドルモータ２はトラバースシャーシ４に固定されている。このトラバースシャーシ４の裏面にはトラバースモータ５とその駆動力を伝達する第１のトラバース駆動機構１０が設けられている。
図８及び図９に示すように、実施の形態２の光ディスク装置においては、トラバースシャーシ４に光ピックアップユニット２００が取り付けられている。この光ピックアップユニット２００は、調整支持部１３において接動可能に係合されており、２箇所のチルト調整部３０，３１において固定されている。光ピックアップユニット２００はチルトシャーシ２０１とそのチルトシャーシ２０１の上面を覆うチルトシャーシカバー２０２とを有している。この光ピックアップユニット２００の内部には、光ピックアップ５０と、その光ピックアップ５０を光ディスク１０１のラジアル方向へ駆動する主軸６と、ガイド軸である副軸７が設けられている。
光ピックアップ５０は光ディスク１０１へ光を照射するレンズ突出部９と、このレンズ突出部９を光ディスク１０１の半径方向へ移動可能に支持する光ピックアップ本体８とにより構成されている。実施の形態２において、チルトシャーシ２０１の主面は、光ピックアップ本体８より下側に配置されている。
【００４０】
実施の形態２における前述の実施の形態１との違いは、主軸６、副軸７、及び光ピックアップ５０を、チルトシャーシ２０１とチルトシャーシカバー２０２とにより、上下で包み込むように構成した点である。チルトシャーシカバー２０２はチルトシャーシ２０１に対して係合固着されるよう構成されている。このように、実施の形態２においては、チルトシャーシカバー２０２を設けることにより、各構成部品を保持するチルトシャーシ２０１の剛性を高めることができると共に、光ディスク１０１の回転に伴う気流の光ピックアップ５０の光学部品への流れ込みが防止されている。
【００４１】
光ピックアップユニット２００はチルト調整手段であるチルト調整部３０，３１によりトラバースシャーシ４に対してチルト調整できるよう構成されている。実施の形態２において、チルト調整部３０，３１は２組の調整ネジ１１，１２とバネ１４，１５とにより構成されており、調整ネジ１１，１２がチルトシャーシ２０１に形成された各孔２５１，２５２と各バネ１４，１５を貫通してトラバースシャーシ４に螺合している。
実施の形態２においては、光ピックアップユニット２００がトラバースシャーシ４の裏面側から装着されるよう構成されている。このように構成することにより、光ディスク装置において光ピックアップ５０を交換する場合に、トラバースシャーシ４の上面（光ディスク側の面）に実装されている各種部品、例えば、光ディスクをターンテーブル面に押圧固定するクランパや、光ディスクをターンテーブルに載置するローディング機構など、を取り外す必要がなく、光ピックアップ５０の保守管理が容易な光ディスク装置となる。
【００４２】
実施の形態２において、チルトシャーシ２０１には、光ピックアップ本体８を光ディスク１０１のラジアル方向への駆動ガイドである主軸６とガイド軸である副軸７が設けられている。主軸６にはネジが形成されており、主軸６の回転により、この主軸６と係合する光ピックアップ本体は直線移動するよう構成されている。副軸７はチルトシャーシ２０１と一体成形により形成されている。また、チルトシャーシ２０１にはトラバースシャーシ４に設けられた第１のトラバース駆動機構１０と歯合する第２のトラバース駆動機構１６が設けられており、トラバースモータ５の駆動力はトラバースシャーシ４の裏面に設けられた第１のトラバース駆動機構１０とチルトシャーシ２０１に設けられた第２のトラバース駆動機構１６を介して主軸６に伝達されるよう構成されている。第１のトラバース駆動機構１０と第２のトラバース駆動機構１６との連結部分は、チルトシャーシ２０１をトラバースシャーシ４に係合保持している調整支持部１３の近傍に配置されている。
【００４３】
図１０は実施の形態２の光ディスク装置における光ピックアップユニット２００を上方から見た斜視図であり、図１１は図１０の光ピックアップユニット２００を下方から見た斜視図である。
図１０及び図１１に示すように、チルトシャーシカバー２０２には１つの開口部２０２ａが形成されている。この開口部２０２ａは、光ピックアップ５０のレンズ突出部９がターンテーブル１に載置された光ディスク１０１の記録面を臨むことができるように、レンズ突出部９の移動軌跡に沿って形成されている。
【００４４】
図１０及び図１１に示すように、実施の形態２におけるチルト調整手段の第１の調整ネジ１１と第２の調整ネジ１２は、チルトシャーシ２０１の縁部近傍に設けられており、光ピックアップ５０のレンズ突出部９の移動軌跡を含む直線の両側となるよう配置されている。調整支持部１３と第１の調整ネジ１１は、チルトシャーシ２０１の上面に設けられた主軸６の両端近傍に設けられており、調整支持部１３は主軸６の光ディスク内周側端部近傍であり、第１の調整ネジ１１は主軸６の光ディスク外周側端部近傍である。したがって、調整支持部１３と第１の調整ネジ１１は、レンズ突出部９の移動軌跡を含む直線を境とすると同じ側に配置されている。
【００４５】
また、図１０及び図１１に示すように、第２の調整ネジ１２は、チルトシャーシ２０１の上面に設けられた副軸７の略中間部分に配置されている。
なお、実施の形態２においては、第２の調整ネジ１２を副軸７の略中間部分に配置された例で説明するが、チルト調整作業をさらに容易にするために、レンズ突出部９の移動軌跡を含む直線に直交しターンテーブル１の中心を通る直線上に第２の調整ネジ１２を配置することも可能である。この場合、調整支持部１３の位置を線Ｂ上に配設すると、より調整作業が容易となる。ただし、この場合、チルトシャーシを所望の位置に維持するために、その縁部近傍で弾性体等により構成された支持手段を設けることが好ましい。
【００４６】
実施の形態２においては、前述の実施の形態１と同様に、チルトシャーシ２０１に設けられた第２のトラバース駆動機構１６における最初の歯車（駆動力の伝達方向における最初の歯車）には、調整支持部１３の近傍において第１のトラバース駆動機構１０における最終歯車（駆動力の伝達方向における最終の歯車）が歯合している。実施の形態２においては、第１のトラバース駆動機構１０と第２のトラバース駆動機構１６の歯合部分は、調整支持部１３の近傍に設けられているため、チルト調整動作における噛み合いピッチや、角度のずれは非常に小さく伝達に必要な歯合関係が確保されている。
【００４７】
実施の形態２におけるチルト調整手段である第１の調整ビス１１と第２の調整ビス１２は、前述の実施の形態１と実質的に同じ構成である。
第１の調整ネジ１１はチルトシャーシ２０１の孔２５１を貫通してトラバースシャーシ４に形成されたネジ孔に螺合している。この第１の調整ネジ１１は、光ピックアップユニット２００とトラバースシャーシ４との間に配設されたバネ１４を貫通している。このバネ１４により、光ピックアップユニット２００はトラバースシャーシ４から離れる方向に押圧されている。したがって、第１の調整ネジ１１を回転させることにより、光ピックアップユニット２００をトラバースシャーシ４に対して調整支持部１３の係合点を回動中心として所望の角度に調整することが可能となる。
【００４８】
第２の調整ネジ１２は、第１の調整ネジ１１と同様に、チルトシャーシ２０１の孔２５２を貫通してトラバースシャーシ４に形成されたネジ孔に螺合している。また第２の調整ネジ１２は、光ピックアップユニット２００とトラバースシャーシ４との間に配設されたバネ１５を貫通している。このバネ１５により、光ピックアップユニット２００はトラバースシャーシ４から離れる方向に押圧されている。したがって、第２の調整ネジ１２を回動させることにより、光ピックアップユニット２００をトラバースシャーシ４に対して調整支持部１３の係合点を中心として所望の角度に調整することが可能となる。
上記のようにチルト調整作業が完了した第１の調整ネジ１１と第２の調整ネジ１２は、ロックペイントなどの固着手段によりその回動が禁止される。
【００４９】
図１２は実施の形態２における光ピックアップユニット２００の裏面図である。
図１２に示すように、チルトシャーシ２０１に形成されている孔２５１，２５２は、大小の円形孔が重なるような形状（だるま孔）を有している。孔２５１，２５２における、大円形部分の直径は第１の調整ネジ１１と第２の調整ネジ１２の頭部の直径より大きく形成されており、小円形部分の直径は第１の調整ネジ１１と第２の調整ネジ１２の頭部の直径より小さく、ネジ部分の直径より大きく形成されている。このように、チルトシャーシ２０１の孔２５１，２５２が形成されているため、組立時において第１の調整ネジ１１と第２の調整ネジ１２の各頭部をそれぞれの孔２５１，２５２の小円形部分に係合させて、光ピックアップユニット２００をトラバースシャーシ４に保持固定することができる。このように光ピックアップユニット２００をトラバースシャーシ４に保持固定したあと、チルト調整作業が行われる。したがって、光ピックアップユニット２００をトラバースシャーシ４に容易に装着してチルト調整を行うことができると共に、後に詳述するように光ピックアップの取り外し作業も容易となる。
【００５０】
実施の形態２の光ディスク装置におけるチルト調整作業は、前述の実施の形態１のチルト調整作業と実質的に同じである。
実施の形態２において、光ピックアップ５０を光ディスク１０１のラジアル方向へガイドする副軸７は、チルトシャーシ２０１に一体的に形成されており、所望の位置に予め配設されている。また、光ピックアップ５０を駆動する主軸６は、チルトシャーシ２０１において副軸７の中心軸と平行になるよう、チルトシャーシ２０１上に高精度に構成された軸受けにより、その両端が回転可能に軸支されている。したがって、チルトシャーシ２０１においては、主軸６の中心軸と副軸７の中心軸は所望の平行度が確実に確保されている。これにより、主軸６と副軸７により駆動及び案内される光ピックアップ５０は、ターンテーブル１に装着された光ディスク１０１のラジアル方向の直線上に確実に移動するよう構成されている。
【００５１】
上記のように、実施の形態２においては、主軸６、副軸７、光ピックアップ５０、及び第２のトラバース駆動機構１６が予め配設されたチルトシャーシ２０１にチルトシャーシカバー２０２が取り付けられて、光ピックアップユニット２００が構成されている。この光ピックアップユニット２００がトラバースシャーシ４の裏面に装着され、光ピックアップ５０からの出力信号を見ながら第１の調整ネジ１１と第２の調整ネジ１２とを交互に回動させてチルト調整される。この場合、主軸６と副軸７との平行度は確保されているため、２つの調整部材を同期させて行う必要がなく、単純に第１の調整ネジ１１と第２の調整ネジ１２とを交互に回動させて、タンジェンシャル方向とラジアル方向における光ピックアップユニット２００のチルト調整が行われる。従って、実施の形態２におけるチルト調整作業は、従来の技術の欄で説明したような２箇所の同期回転による調整が不要であり、簡易な調整治具あるいは手動による調整で対応することができる。
このチルト調整作業により、光ピックアップ５０のレンズ突出部９からのレーザ光は、ターンテーブル１に装着された光ディスク１０１の記録面に対して垂直に照射される。
上記のように構成された実施の形態２の光ディスク装置における光ピックアップの取り外し作業について、以下説明する。なお、チルトシャーシ２０１とトラバースシャーシ４との間の調整支持部の構成は、前述の実施の形態１で図５を用いて説明した調整支持部１３と実質的に同じである。
前述のように光ピックアップ５０はチルトシャーシ２０１において精度高く形成された主軸６、副軸７によってガイド駆動されている。また、チルトシャーシ２０１とトラバースシャーシ４は、チルト調整手段である調整支持部１３、第１の調整ネジ１１、第２の調整ネジ１２によるチルト調整部によって、精度高くチルト調整されるよう構成されている。前述の実施の形態１の図５を用いて説明したように、チルトシャーシ３とトラバースシャーシ４の係合支点の位置精度はチルトシャーシ３に形成されたボール部３ｃ、トラバースシャーシ４の開口端部４ｃ、支持部穴４ｈの部品精度で決定する。従って、ボール部３ｃを押圧している押圧部材４ｐを取り除き、調整支持部１３での係合部の接動状態を外しても、再度組み直して押圧部材４ｐにより押圧すれば、係合支点の位置精度は確保できる。  実施の形態２の光ディスク装置においては、図９、図１１、及び図１２に示すように、押圧部材２０４がチルトシャーシ２０１に形成されたボール部（図示省略）を押圧するようトラバースシャーシ４にネジ止めされている。従って、実施の形態２においても、ボール部を押圧している押圧部材２０４を取り除き、調整支持部１３での係合部の接動状態を外しても、再度組み直して押圧部材２０４により押圧すれば、チルトシャーシ２０１とトラバースシャーシ４との係合支点の位置精度は確保できる。
次に、第１の調整ネジ１１と第２の調整ネジ１２を調整してチルト調整したチルト調整部では、前述したように第１の調整ネジ１１と第２の調整ネジ１２をロックペイントなどにより回転しないよう固定している。しかし、付勢手段であるバネ１４，１５によりトラバースシャーシ４から離間し、第１の調整ネジ１１と第２の調整ネジ１２により押し付けられているチルトシャーシ２０１は、バネ１４，１５の付勢方向に対抗するように押圧すれば、その係止状態を外すことができる。すなわち、チルトシャーシ２０１は、いわゆるだるま孔である孔２５１，２５２の小円形部分にて第１の調整ネジ１１と第２の調整ネジ１２で保持固定されているので、押圧しながらスライドすれば孔２５１，２５２の大円形部分にて第１の調整ネジ１１と第２の調整ネジ１２による保持固定を外すことができる。
上記のように、押圧部材２０４を取り除き、次にチルトシャーシ２０１を押しながらスライドさせれば、調整箇所である第１の調整ネジ１１と第２の調整ネジ１２を回すことなく、チルトシャーシ２０１をトラバースシャーシ４から外すことが可能となる。
反対に、チルトシャーシ２０１をトラバースシャーシ４に取り付ける場合も、前述の取り外す場合と逆の順序により、何ら調整を崩すことなくチルト調整を維持したまま組み直すことができる。
具体的には、調整支持部１３において、図１２で示したような押圧部材２０４でチルトシャーシ２０１を挟着する。押圧部材２０４は、基本的には前述の図５を用いて説明した実施の形態１の押圧部材４ｐと同様であり、チルトシャーシ２０１の所定の位置に形成されたボール部を押圧する。実施の形態２における押圧部材２０４において、図５に示した押圧部材４ｐと異なる点は、ツメ２０４ｔが設けられ、このツメ２０４ｔがチルトシャーシ２０１に形成された凹部２０１ｍに隙間を有して挿入されていることである。これによって、押圧部材２０４をトラバースシャーシ４から外さない限り、ツメ２０４ｔと凹部２０１ｍとの係合により光ピックアップユニット２００をスライドさせることができない構成である。また、振動などによりチルト調整部のバネ１４，１５の付勢力が落ち、万一、光ピックアップユニット２００がスライドしそうになったとしても、押圧部材２０４のツメ２０４ｔが凹部２０１ｍに係止して、スライドすることが防止されている。さらに、ツメ２０４ｔは凹部２０１ｍにチルト調整の範囲では接触しないよう所定の隙間を確保して遊挿されているので、チルト調整作業の邪魔になることがない。
【００５２】
なお、実施の形態２において、光ピックアップユニット２００はトラバースシャーシ４に対してバネ１４，１５により保持される構成であるが、これらのバネ１４，１５の他に振動を吸収するための弾性体等で構成された振動吸収手段により光ピックアップユニット２００をトラバースシャーシ４で保持する構成も可能である。
【００５３】
実施の形態２の光ディスク装置においては、光ピックアップユニット２００の内部に主軸６、副軸７、及び光ピックアップ５０等が所望の位置に配設されており、主軸６と副軸７は予め同一平面上に平行に配置されているため、上記のチルト調整作業が容易である。また、実施の形態２の光ディスク装置は、上記のようにトラバースシャーシ４と別体の光ピックアップユニット２００に主軸６、副軸７、及び光ピックアップ５０等が所望の位置に予め配設されているため、チルト調整作業において光ピックアップユニット２００と装着される光ディスク１０１との間に予め調整のための余分な空間を装置内に確保する必要がなく、装置の薄型化に大きく貢献している。
【００５４】
上記のように構成された実施の形態２の光ディスク装置は、光学部品や駆動機構を実質的に覆うチルトシャーシカバー２０２が設けられているため、このチルトシャーシカバー２０２が使用者に対する目隠しとしての機能も有している。また、実施の形態２の光ディスク装置においては、光ピックアップユニット２００の内部に光ピックアップ本体８が収納されているため、光ディスク１０１の回転に伴う気流により細かな塵埃が光学部品や他の機器へ流れ込むことが防止されている。この結果、塵埃が光ピックアップ本体８内部の光学部品に付着して汚して、長時間の経過により光量低下による性能劣化、再生不能等の問題が解決されている。
【００５５】
【発明の効果】
以上、実施の形態について詳細に説明したところから明らかなように、本発明は次の効果を有する。
本発明によれば、光ピックアップの移動面を光ディスクの記録面に対して平行になるよう容易に、かつ確実に調整することができ、信頼性の高い光ディスク装置を提供することができる。
本発明によれば、チルトシャーシに主軸、副軸、及び光ピックアップを予め所望の位置に設け、そのチルトシャーシをトラバースシャーシに装着してチルト調整動作を行うよう構成されているため、調整作業工数が少なく、特別の調整設備を設ける必要がなく、確実な調整作業を容易に行うことが可能となる。その結果、本発明によれば、信頼性の高い光ディスク装置を低い製造コストで提供することが可能となる。
【００５６】
また、本発明によれば、チルトシャーシを設けて光ピックアップの移動軌跡に沿った部分のみに開口部を形成して、光ディスクの回転に伴う気流が光ピックアップ本体へ流れ込みにくい構成であるため、光ディスクの回転に伴う気流により塵埃が光ピックアップの光学部品への付着を大幅に低減することができ、装置の信頼性を高めることが可能となる。
また、本発明によれば、トラバースシャーシと別体のチルトシャーシを設けることにより、調整のための余分な空間を装置内に確保する必要がなくなり、装置の薄型化に対応することができる。
【００５７】
また、本発明の光ディスク装置によれば、トラバースシャーシとチルトシャーシとの間に弾性体を設けているため、スピンドルモータ等からの振動が吸収され、書き込み動作及び読み取り動作を確実に行うことができる。
また、本発明の光ディスク装置においては、トラバースシャーシの第１のトラバース駆動手段からチルトシャーシの第２のトラバース駆動手段への連結部がチルトシャーシとトラバースシャーシとの調整支持部近傍に設けられているため、チルト調整作業を行っても第１のトラバース駆動手段と第２のトラバース駆動手段との連結部は確実に駆動力を伝達可能な状態に保持される。
【００５８】
また、本発明の光ディスク装置によれば、主軸、副軸、及び光ピックアップを保持するチルトシャーシにチルトシャーシカバーを取り付けた光ピックアップユニットを設けているため、各構成部品を保持するチルトシャーシの剛性を高めることができると共に、光ディスクの回転に伴う気流の光ピックアップの光学部品への流れ込みを防止している。その結果、本発明によれば、チルト調整動作を容易に行うことができ、光学部品の汚れを防止できる信頼性の高い光ディスク装置を提供することができる。
さらに、本発明の光ディスク装置によれば、光ピックアップユニットをトラバースシャーシを裏面側から取り付けるよう構成されているため、保守管理の容易な光ディスク装置を提供することができる。
【図面の簡単な説明】
【図１】本発明に係る実施の形態１の光ディスク装置におけるスピンドルモータ近傍を上方から見た斜視図である。
【図２】実施の形態１の光ディスク装置におけるスピンドルモータ近傍を下方から見た斜視図である。
【図３】実施の形態１のスピンドルモータ近傍の主要な構成部品の平面図である。
【図４】図３のスピンドルモータ近傍の主要な構成部品の裏面図である。
【図５】実施の形態１の光ディスク装置における調整支持部１３の近傍を示した断面図である。
【図６】図３のＶ−Ｖ線による断面図である。
【図７】図４のＶＩ−ＶＩ線による断面図である。
【図８】本発明に係る実施の形態２の光ディスク装置におけるスピンドルモータ近傍の構成部品を上方（ターンテーブルに載置された光ディスク側）から見た斜視図である。
【図９】実施の形態２の光ディスク装置におけるスピンドルモータ近傍の構成部品を下方から見た斜視図である。
【図１０】実施の形態２における光ピックアップユニットを上方から見た斜視図である。
【図１１】図１０の光ピックアップユニットを下方から見た斜視図である。
【図１２】実施の形態２の光ピックアップユニットの裏面図である。
【図１３】従来の光ディスク装置におけるチルト調整機構を示す平面図である。
【図１４】従来の光ディスク装置における別のチルト調整機構を示す側面断面図である。
【符号の説明】
１  ターンテーブル
２  スピンドルモータ
３  チルトシャーシ
４  トラバースシャーシ
５  トラバースモータ
６  主軸
７  副軸
８  光ピックアップ本体
９  レンズ突出部
１０  第１のトラバース駆動機構
１１  第１の調整ネジ
１２  第２の調整ネジ
１３  調整支持部
１４  バネ
１５  バネ
１６  第２のトラバース機構
３０  チルト調整部
３１  チルト調整部
５０  光ピックアップ
１０１  光ディスク
２００  光ピックアップユニット
２０１  チルトシャーシ
２０２  チルトシャーシカバー
２５１  孔
２５２  孔
【図１】
0004097414.tif 000002
【図２】
0004097414.tif 000003
【図３】
0004097414.tif 000004
【図４】
0004097414.tif 000005
【図５】
0004097414.tif 000006
【図６】
0004097414.tif 000007
【図７】
0004097414.tif 000008
【図８】
0004097414.tif 000009
【図９】
0004097414.tif 000010
【図１０】
0004097414.tif 000011
【図１１】
0004097414.tif 000012
【図１２】
0004097414.tif 000013
【図１３】
0004097414.tif 000014
【図１４】
0004097414.tif 000015